(57)【要約】【課題】測量用の反射部材付きポールを手で容易に支持することができる測量補助具を提供する。【解決手段】測量用の反射部材付きポール５を測定点４０１に鉛直に立てる測量補助具であって、測定点４０１が設定される設置物４００の側面側に接触させられる接触片部１１と、上記接触片部１１を上記側面側に接触させた状態で上記反射部材付きポール５の下端側（石突５ｂ）を上記測定点４０１の上側に位置させる位置決め部１２と、を備える。【選択図】図１
2019215293.tif 000002
【特許請求の範囲】
【請求項１】
測量用の反射部材付きポールを測定点に鉛直に立てる測量補助具であって、測定点が設定される設置物の側面側に接触させられる接触片部と、上記接触片部を上記側面側に接触させた状態で上記反射部材付きポールの下端側を上記測定点に位置させる位置決め部と、を備えていることを特徴とする測量補助具。
【請求項２】
請求項１に記載の測量補助具において、上記設置物の上面に接触する上面接触部を備えていることを特徴とする測量補助具。
【請求項３】
請求項２に記載の測量補助具において、上記測定点を視認できる視認部を備えていることを特徴とする測量補助具。
【請求項４】
請求項１〜請求項３のいずれか１項に記載の測量補助具において、上記接触片部に対して別の接触片部を直角に設けてなる直角接触片部を備えており、上記位置決め部は、上記直角接触片部の外側角を上記設置物の入隅に当てた状態で当該入隅を測定点とする入隅用の位置決め部として機能することを特徴とする測量補助具。
【請求項５】
測量用の反射部材付きポールを測定点に鉛直に立てる測量補助具であって、設置物の測定点となる出隅の二つの側面側にそれぞれ接触させられる２個の接触片部を互いに直角に設けてなる直角接触片部と、上記直角接触片部の内側角を上記出隅に接触させた状態で上記反射部材付きポールの下端側を上記出隅に位置させる位置決め部と、を備えていることを特徴とする測量補助具。
【請求項６】
請求項４に記載の測量補助具と請求項５に記載の測量補助具とが一体化された測量補助具であって、上記直角接触片部を共用する一方、上記入隅用の位置決め部と上記出隅用の位置決め部をそれぞれ備えることを特徴とする測量補助具。
【請求項７】
請求項６に記載の測量補助具において、上記入隅用の位置決め部と上記出隅用の位置決め部とが互いに接合されていることを特徴とする測量補助具。
【請求項８】
請求項５〜請求項７のいずれか１項に記載の測量補助具において、上記設置物の上面に接触する上面接触部を上記直角接触片部に備えていることを特徴とする測量補助具。
【請求項９】
請求項５〜請求項８のいずれか１項に記載の測量補助具において、上記直角接触片部における二つの接触片部の交差部近傍に、上記出隅を視認できる視認部が形成されていることを特徴とする測量補助具。
【請求項１０】
請求項１〜請求項９のいずれか１項に記載の測量補助具において、上記位置決め部は、上記反射部材付きポールの下端側に設けられた石突を収容する収容凹部を有することを特徴とする測量補助具。
【請求項１１】
請求項１０に記載の測量補助具において、上記収容凹部が上記位置決め部の下端を貫通して形成されていることを特徴とする測量補助具。
【請求項１２】
請求項１１に記載の測量補助具において、上記収容凹部は上記石突を受け止める一方で石突先端を露呈させる受け部を有することを特徴とする測量補助具。
【請求項１３】
請求項１〜請求項９のいずれか１項に記載の測量補助具において、上記位置決め部は、上記反射部材付きポールの下端側に設けられた一方側螺子部が螺合される他方側螺子部を有することを特徴とする測量補助具。
【発明の詳細な説明】
【技術分野】
【０００１】
この発明は、測量用の反射部材付きポールを測定点に鉛直に立てる測量補助具に関する。
【背景技術】
【０００２】
特許文献１には、反射プリズムポールの石突部が十字線を施した透明板からなる測量用反射プリズム固定装置が開示されている。この測量用反射プリズム固定装置を使用するときには、上記十字線を測定点となるブロック塀の外側角の上面に置いて位置合わせする一方で、反射プリズムポールを支持するクリップを上記ブロック塀に支持させる支持機構が必要となる。
【先行技術文献】
【特許文献】
【０００３】
【特許文献１】実公平２−４９５３７号公報
【発明の概要】
【発明が解決しようとする課題】
【０００４】
しかしながら、上記特許文献に記載の測量用反射プリズム固定装置では、上記のように、上記石突となる十字線を測定点となるブロック塀の外側角の上面側に置いて位置合わせするため、当該石突を手で支持することは容易でなく、上記の支持機構が必要になる。このため、測量用反射プリズム固定装置の設置が大掛かりで複雑になるという欠点があった。
【０００５】
この発明は、測量用の反射部材付きポールを手で支持することができる測量補助具を提供することを目的とする。
【課題を解決するための手段】
【０００６】
この発明の測量補助具は、上記の課題を解決するために、測量用の反射部材付きポールを測定点に鉛直に立てる測量補助具であって、測定点が設定される設置物の側面側に接触させられる接触片部と、上記接触片部を上記側面側に接触させた状態で上記反射部材付きポールの下端側を上記測定点に位置させる位置決め部と、を備えていることを特徴とする。
【０００７】
上記の構成であれば、上記接触片部を上記設置物の側面側に接触させて、この状態を保持することで、上記反射部材付きポールの下端側を上記測定点に位置させることができる。すなわち、従来のような十字線を付した透明板を上記設置物の角等の狭いポイントの上面に置くのではなく、上記位置決め部が測定点に位置するように上記接触片部を上記設置物の側面側に押し当てればよいので、クリップ等を用いた支持装置がなくても、上記反射部材付きポールを作業者が手で容易に支持することが可能になる。
【０００８】
上記設置物の上面に接触する上面接触部を備えていてもよい。これによれば、上記反射部材付きポールの高さ位置を、上記設置物の上面高さに合わせることが容易になる。また、上記上面接触部を設置物の上面に接触させることにより、上記反射部材付きポールを支持することも容易になる。
【０００９】
上記測定点を視認できる視認部を備えていてもよい。これによれば、上記視認部を介して測定点を容易に確認することができる。また、上記位置決め部の下から上記反射部材付きポールの下端が見えるようにした場合においては、上記下端と測定点との位置確認も容易になる。
【００１０】
上記接触片部に対して別の接触片部を直角に設けてなる直角接触片部を備えており、上記位置決め部は、上記直角接触片部の外側角を上記設置物の入隅に当てた状態で当該入隅を測定点とする入隅用の位置決め部として機能できるようにしてもよい（以下この項において第１構成という。）。これによれば、上記入隅を測定点として上記反射部材付きポールを容易に立てることができる。
【００１１】
また、この発明の測量補助具は、測量用の反射部材付きポールを測定点に鉛直に立てる測量補助具であって、設置物の測定点となる出隅の二つの側面側にそれぞれ接触させられる２個の接触片部を互いに直角に設けてなる直角接触片部と、上記直角接触片部の内側角を上記出隅に接触させた状態で上記反射部材付きポールの下端側を上記出隅に位置させる位置決め部と、を備えていることを特徴とする（以下この項において第２構成という。）。
【００１２】
上記の構成であれば、上記直角接触片部を上記設置物の出隅の側面側に接触させて、この状態を保持することで、上記反射部材付きポールの下端側を上記出隅の上側に位置させることができる。すなわち、従来のような十字線を付した透明板を上記設置物の角等の狭いポイントの上面に置くのではなく、上記位置決め部が測定点に位置するように上記直角接触片部を上記設置物の側面側に押し当てればよいので、クリップ等を用いた支持機構がなくても、上記反射部材付きポールを作業者が手で容易に支持することが可能になる。
【００１３】
上記第１構成の測量補助具と上記第２構成の測量補助具とが一体化された測量補助具であって、上記直角接触片部を共用する一方、上記入隅用の位置決め部と上記出隅用の位置決め部をそれぞれ備えることとしてもよい。これによれば、１つの測量補助具で入隅と出隅のどちらの測定にも対応することができる。
【００１４】
上記入隅用の位置決め部と上記出隅用の位置決め部とが互いに接合されていてもよい。これによれば、上記位置決め部が別々に離間して存在するよりも、位置決め部の剛性を高めることができる。
【００１５】
上記設置物の上面に接触する上面接触部を上記直角接触片部に備えていてもよい。これによれば、上記出隅を測定点とする場合において、上記反射部材付きポールの高さ位置を、上記設置物の上面の高さに合わせることが容易になる。また、上記上面接触部を設置物の上面に接触させることにより、上記反射部材付きポールを支持することも容易になる。
【００１６】
上記直角接触片部における二つの接触片部の交差部近傍に、上記出隅を視認できる視認部が形成されていてもよい。これによれば、上記視認部を介して測定点としての出隅を確認することができる。また、上記位置決め部の下から上記反射部材付きポールの下端が見えるようにした場合において、上記下端と出隅との位置確認も容易になる。
【００１７】
上記位置決め部は、上記反射部材付きポールの下端側に設けられた石突を収容する収容凹部を有していてもよい。上記収容凹部が上記位置決め部の下端を貫通して形成されていてもよい。そして、上記収容凹部は上記石突を受け止める一方で石突先端を露呈させる受け部を有していてもよい。これによれば、上記受け部で上記石突を受け止めて上記反射部材付きポールを支持しつつ、石突先端の確認も行うことができるようになる。
【００１８】
或いは、上記位置決め部は、上記反射部材付きポールの下端側に設けられた一方側螺子部が螺合される他方側螺子部をしていてもよい。
【発明の効果】
【００１９】
本発明であれば、測量用の反射部材付きポールを測定点において手で容易に支持することができるという効果を奏する。
【図面の簡単な説明】
【００２０】
【図１】この発明の実施形態の測量補助具および反射部材付きポールを示した説明図である。
【図２】図１の測量補助具を用いて設置物の側面を測定点として測量する例を示した説明図である。
【図３】図１の測量補助具を用いて設置物の入隅を測定点として測量する例を示した説明図である。
【図４】図１の測量補助具を用いて設置物の出隅を測定点として測量する例を示した説明図である。
【図５】図１の測量補助具を設置物の側面側において手で持って支持している様子を示した説明図である。
【図６】図１の測量補助具を設置物の出隅において手で持って支持している様子を示した説明図である。
【図７】他の実施形態の測量補助具を示した説明図である。
【図８】他の実施形態の測量補助具を設置物の側面側において手で持って支持している様子を示した説明図である。
【図９】他の実施形態の境界プレート用の測量補助具を示した説明図である。
【図１０】図９の測量補助具の使用例を示した説明図である。
【図１１】他の実施形態の測量補助具を示した説明図である。
【図１２】図９の測量補助具を用いて設置物の出隅を測定点として測量する例を示した説明図である。
【図１３】他の実施形態の測量補助具を用いて設置物の中央を測定点として測量する例を示した説明図である。
【発明を実施するための形態】
【００２１】
以下、この発明の実施形態を添付図面に基づいて説明する。図１および図２に示すように、この実施形態の測量補助具３は、反射部材として反射プリズム５ａが取り付けられた反射部材付きポール５を測定点に鉛直に立てることに利用される。この例では、上記測量補助具３は、樹脂にて成形されており、第１測量補助具１と第２測量補助具２とを一体的に備えたものとなっている。
【００２２】
上記第１測量補助具１は、測定点４０１が設定される設置物（例えば、布基礎）４００の側面側に接触させられる四角形板状の接触片部１１と、上記接触片部１１を上記側面側に接触させた状態で上記反射部材付きポール５の下端側を上記測定点４０１に位置させる位置決め部１２と、を備えている。上記位置決め部１２は、上記反射部材付きポール５の下端側に設けられた石突５ｂを収容する収容凹部１２ａを有している。この収容凹部１２ａは、上記位置決め部１２の下端側を貫通しており、上記位置決め部１２の下からポール５の下端（石突５ｂの先端）が出て見えるようにしている。
【００２３】
また、上記第１測量補助具１は、上記設置物４００の上面に接触する板状の上面接触部１３を水平に備えている。すなわち、上記接触片部１１と上記上面接触部１３は互いに直交するように形成されている。また、上記上面接触部１３は、上記測定点４０１および石突５ｂの先端側を視認できる視認部１３ａを備えている。この例では、上記視認部１３ａは、上記位置決め部１２の下端側の斜めカット部と上記上面接触部１３に形成された窓部とからなる。
【００２４】
また、上記第１測量補助具１は、上記接触片部１１に対して別の接触片部１５を直角に設けてなる直角接触片部３１を備えており、上記位置決め部１２は、図３に示すように、上記直角接触片部３１の外側角を、上記設置物４００の入隅４０２に当てた状態で当該入隅４０２を測定点とする入隅用の位置決め部１２として機能することもできる。なお、この例では、上記別の接触片部１５を用い、上記接触片部１１と同様、上記設置物４００の側面上縁上の測定点４０１の測定に用いることもできる。
【００２５】
上記第２測量補助具２は、上記の一体化により、図４に示すように、上記設置物４００の測定点となる出隅４０３の二つの側面側にそれぞれ接触させられる２個の接触片部１１，１５を互いに直角に設けてなる直角接触片部３１と、上記直角接触片部３１の内側角を上記出隅４０３に接触させた状態で上記反射部材付きポール５の下端側（石突５ｂ）を上記出隅４０３の上側に位置させる出隅用の位置決め部２２と、を備えている。すなわち、上記第１測量補助具１と上記第２測量補助具２は、上記直角接触片部３１を共用する一方、上記入隅用の位置決め部１２と上記出隅用の位置決め部２２をそれぞれ備えた構成になっている。また、上記出隅用の位置決め部２２は、上記反射部材付きポール５の下端側に設けられた石突５ｂを収容する収容凹部２２ａを有している。この収容凹部２２ａは、上記位置決め部２２の下端側を貫通しており、上記位置決め部２２の下から上記反射部材付きポール５の下端（石突５ｂの先端）が出て見えるようにしている。
【００２６】
また、上記第２測量補助具２においては、上記直角接触片部３１における二つの接触片部１１，１５を跨いで上記設置物４００の上面に接触する上面接触部２３を備えている。さらに、上記上面接触部２３は、上記接触片部１１，１５における互いに最も離れた位置に設けられており、上記直角接触片部３１における二つの接触片部１１，１５の交差部近傍には、上記上面接触部２３が形成されず且つ上記位置決め部２２の下端側が斜めカットされたことで上記出隅４０３および石突５ｂの先端側を視認できるようにした視認部２４が形成されている。
【００２７】
上記入隅用の位置決め部１２と上記出隅用の位置決め部２２とはその外周面において互いに接合されている。この例では、上記測量補助具３の樹脂成形において、上記位置決め部１２と位置決め部２２とが一体化されるようにしている。なお、上記接触片部１１，１５の肉厚が薄いと、上記入隅用の位置決め部１２の中心と上記出隅用の位置決め部２２の中心とが接近し過ぎることになるので、このような接近のし過ぎが生じないように上記接触片部１１，１５の肉厚が設定される。
【００２８】
上記の構成であれば、図５にも示すように、上記接触片部１１を上記設置物４００の側面側に接触させて、この状態を保持することで、上記反射部材付きポール５の下端側を上記測定点４０１に位置させることができる。すなわち、従来のような十字線を付した透明板を上記設置物の角等の狭いポイントの上面に置くのではなく、上記位置決め部１２が測定点４０１に位置するように上記接触片部１１を上記設置物４００の側面側に押し当てればよいので、クリップ等を用いた支持機構がなくても、上記反射部材付きポール５を作業者が手で容易に支持することが可能になる。
【００２９】
上記設置物４００の上面に接触する上面接触部１３を備えていると、上記反射部材付きポール５の高さ位置を、上記設置物４００の上面高さに合わせることが容易になる。また、上記上面接触部１３を設置物の上面に接触させることにより、上記反射部材付きポール５を支持することも容易になる。
【００３０】
上記上面接触部１３が上記測定点４０１を視認できる視認部１３ａを備えていると、上記視認部１３ａを介して測定点４０１を確認することができる。また、上記位置決め部１２の下からポール５の下端（石突５ｂ）が見えるようにした場合においては、上記下端（石突５ｂ）と測定点４０１との位置確認も容易になる。
【００３１】
上記位置決め部１２が上記直角接触片部３１の外側角を上記設置物４００の入隅４０２に当てた状態で当該入隅４０２を測定点とする入隅用の位置決め部１２として機能できると、上記入隅４０２を測定点４０１として上記反射部材付きポール５を容易に立てることができる。
【００３２】
また、上記第２測量補助具２を備える構成であれば、図６に示すように、上記直角接触片部３１を上記設置物４００の出隅４０３の側面側に接触させて、この状態を保持することで、上記反射部材付きポール５の下端側を上記出隅４０３の上側に位置させることができる。すなわち、上記第２測量補助具２を用いる場合においても、上記位置決め部２２が測定点４０１となる出隅４０３に位置するように上記直角接触片部３１を上記設置物４００の側面側に押し当てればよいので、クリップ等を用いた支持機構がなくても、上記反射部材付きポール５を作業者が手で容易に支持することが可能になる。
【００３３】
上記入隅用の位置決め部１２と上記出隅用の位置決め部２２とが互いに接合されていると、上記位置決め部１２，２２が離間して存在するよりも、位置決め部の剛性を高めることができる。
【００３４】
上記設置物４００の上面に接触する上面接触部２３を上記直角接触片部３１に備えると、上記出隅４０３を測定点とする場合において、上記反射部材付きポール５の高さ位置を、上記設置物４００の上面の高さに合わせることが容易になる。また、上記上面接触部２３を設置物４００の上面に接触させることにより、上記反射部材付きポール５を支持することが容易になる。
【００３５】
また、上記出隅４０３を視認できる視認部２４が形成されていると、上記視認部２４を介して上記出隅４０３を確認することができる。また、上記位置決め部２２の下から上記反射部材付きポール５の下端が見えるようにした場合において、上記下端と上記出隅４０３との位置確認も容易になる。
【００３６】
以上の例では、上記第１測量補助具１および上記第２測量補助具２を備え、入隅および出隅を測定点とすることができる構成を示したが、これに限らない。例えば、図７に示すように、上記入隅用の位置決め部１２および上記上面接触部１３を備えない構成とすることができる。このような構成は、出隅専用の測量補助具として利用することができる。
【００３７】
或いは、図８に示すように、上記出隅用の位置決め部２２および上記上面接触部２３を備えない構成とすることができる。このような構成は、側面および入隅専用の測量補助具として利用することができる。
【００３８】
また、例えば、図９に示すように、測量補助具３Ａは、路上等に設けられる設置物である四角形状の境界プレート７に適用できるようになっている。この測量補助具３Ａは、境界プレート７の測定点をなす出隅の二つの側面７１にそれぞれ接触させられる接触片部を互いに直角に設けてなる直角接触片部３０１と、上記直角接触片部３０１の内側角を上記出隅（二つの側面７１の下側縁の交点）７２に接触させた状態で反射部材付きポール５の下端側（石突５ｂ）を上記出隅７２の上側に位置させる出隅用の位置決め部３０２と、を備えている。なお、出隅７２ではなく、境界プレート７の側面中央側に設定された測定点を測定する位置決め部を備える構成とすることができる。
【００３９】
上記直角接触片部３０１の高さは境界プレート７の地面突出高さよりも高くされており、上記位置決め部３０２は境界プレート７の上側に位置する。また、上記境界プレート７の二つの側面７１は傾斜面となっているが、上記直角接触片部３０１は垂直に立ち上がるように形成されており、各接触片部は上記二つの側面７１の下縁に接することができる。
【００４０】
上記位置決め部３０２は、上記反射部材付きポール５の下端側に設けられた石突５ｂを収容する収容凹部３０２ａを有している。この収容凹部３０２ａは、上記位置決め部３０２の下端を貫通しており、上記出隅７２の位置の確認が容易に行えるようになっている。また、図１０に示すように、上記収容凹部３０２ａの下側には、上記石突５ｂの円錐部を受け止める一方で、石突先端を露呈させるテーパー状部（受け部）３０２ｂが形成されており、上記石突５ｂの先端が地面側に当たらないようにしつつ、石突先端の確認が行えるようにしている。なお、先述の位置決め部１２，２２においても、上記テーパー状部（受け部）を備えるようにしてもよいものである。
【００４１】
また、図１１に示すように、上記位置決め部３０２は、上記反射部材付きポール５の下端側に設けられた一方側螺子部(例えば、雄螺子)５ｃが螺合される他方側螺子部(例えば、雌螺子)３０２ｃを有していてもよい。なお、先述の位置決め部１２，２２についても、上記螺子部を備える構成としてもよい。
【００４２】
また、図１２に示すように、上記測量補助具３Ａを用いて、設置物（例えば、布基礎）４００の出隅４０３を測定点する測定を行うこともできる。
【００４３】
また、図１３に示すように、測量補助具３Ｂは、測定点が中央に設定される境界プレート７Ａの側面側に接触させられる直角接触片部３０１と、上記直角接触片部３０１を上記側面側に接触させた状態で上記反射部材付きポール５の下端側（石突５ｂ）を上記測定点に位置させる位置決め部３０２と、を備えている。上記位置決め部３０２は、上記直角接触片部３０１上に掛け渡される支持部材３０５によって支持されている。
【００４４】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００４５】
１        ：第１測量補助具
２        ：第２測量補助具
３        ：測量補助具
３Ａ      ：測量補助具
３Ｂ      ：測量補助具
５        ：反射部材付きポール
５ａ      ：反射プリズム
５ｂ      ：石突
５ｃ      ：螺子部
７        ：境界プレート
１１      ：接触片部
１２      ：位置決め部
１２ａ    ：収容凹部
１３      ：上面接触部
１３ａ    ：視認部
１５      ：接触片部
２２      ：位置決め部
２２ａ    ：収容凹部
２３      ：上面接触部
２４      ：視認部
３１      ：直角接触片部
７１      ：側面
３０１    ：直角接触片部
３０２    ：位置決め部
３０２ａ  ：収容凹部
３０２ｂ  ：テーパー状部（受け部）
３０２ｃ  ：螺子部
４００    ：設置物
４０１    ：測定点
４０２    ：入隅
４０３    ：出隅
【図１】
2019215293.tif 000003
【図２】
2019215293.tif 000004
【図３】
2019215293.tif 000005
【図４】
2019215293.tif 000006
【図５】
2019215293.tif 000007
【図６】
2019215293.tif 000008
【図７】
2019215293.tif 000009
【図８】
2019215293.tif 000010
【図９】
2019215293.tif 000011
【図１０】
2019215293.tif 000012
【図１１】
2019215293.tif 000013
【図１２】
2019215293.tif 000014
【図１３】
2019215293.tif 000015